(57)【要約】【課題】  角折れや切れめくれ等がある紙葉類の整位動作時に両端搬送ガイドベルト部をローラから外すことのないようにする。【解決手段】  紙葉類Ｐ１，Ｐ２の中央部を挟持搬送する中央搬送ベルト部２５と、この中央搬送ベルト部２５によって搬送される紙葉類Ｐ１，Ｐ２の搬送方向と直交する方向の両端部を挟持搬送する一対の両端搬送ガイドベルト部２６と、中央搬送ベルト部２５によって搬送される紙葉類Ｐ１，Ｐ２の位置及び角度を整位する整位ユニット６とを具備し、両端搬送ガイドベルト部２６は各々のベルトの外側緑部２６ｃと内側緑部２６ｄと間に紙葉類Ｐ１，Ｐ２の両端部を位置させる幅寸法Ｓを有する。【選択図】      図５
2005082365.tif 000002
【特許請求の範囲】
【請求項１】
紙葉類の略中央部を挟持搬送する中央搬送ベルト部と、
この中央搬送ベルト部によって搬送される紙葉類の搬送方向と直交する方向の両端部を挟持搬送する一対の両端搬送ベルト部と、
前記中央搬送ベルト部によって搬送される紙葉類の位置及び角度を整位する整位手段とを具備し、
前記両端搬送ベルト部は各々のベルトの外側緑部と内側緑部との間に前記紙葉類の両端部を位置させる幅寸法を有することを特徴とする紙葉類整位装置。
【請求項２】
前記両端搬送ベルト部はその外側緑部が最大寸法の紙葉類の端面よりも外側に位置し、内側緑部が最小寸法の紙葉類の端面よりも内側に位置することを特徴とする請求項１記載の紙葉類整位装置。
【請求項３】
前記中央搬送ベルト部によって搬送される紙葉類の位置及び角度を検出する検出手段を備え、
前記整位手段は前記検出手段によって検出された紙葉類の位置及び角度に応じて前記紙葉類を整位することを特徴とする請求項１記載の紙葉類整位装置。
【請求項４】
前記整位手段は前記中央搬送ベルト部と前記両端搬送ベルト部との間に配設された位置整位ローラ及び角度整位ローラを有し、整位動作時に前記中央搬送ベルト部及び両端搬送ベルト部に接触しないことを特徴とする請求項１記載の紙葉類整位装置。
【発明の詳細な説明】
【技術分野】
【０００１】
本発明は、紙葉類の例えば、位置、角度を整位する整位機構を備える紙葉類処理装置に関する。
【背景技術】
【０００２】
紙葉類処理装置には、紙葉類を取出部から一枚づつ取り出し、この紙葉類を鑑査部で鑑査してその鑑査結果に応じて区分集積するものがある。
【０００３】
この紙葉類処理装置では、取出部から取り出した紙葉類の位置、角度を整位機構により一定範囲内に整位してから鑑査部へ搬送するようにしている。
【０００４】
整位機構は、紙葉類の搬送方向に亘って配設される光学式センサ、位置揃えローラ部及び角度揃えローラ部を備えている。揃えローラ部及び角度揃えローラ部は、光学式センサの検知情報に基づいて図示しない駆動部により左右に回動されて紙葉類の位置及び角度を揃えるようになっている。
【０００５】
また、整位機構は、平行に配列される中央搬送ベルト部、及び両端搬送ガイドベルト部を備えている。中央搬送ベルト部は上下一対のベルトにより紙葉類の中央部を強く挟持して搬送し、両端搬送ガイドベルト部は上下一対のベルトにより紙葉類のスライド方向及び回転方向の動きを束縛しないように、即ち、紙葉類の搬送時におけるバタツキを抑える程度に緩く紙葉類の両端部を保持する。
【０００６】
取出部から取出された紙葉類は、その位置、及び傾きが光学式センサによって光学的に検知される。この検知により、紙葉類の位置が中央部からずれていると判別された場合には位置揃えローラ部が左右いずれかの方向に回動して紙葉類の位置を中心に揃え、また、光学式センサによって紙葉類が傾いていると判別された場合には、角度揃えローラ部が左右いずれかの方向に回動して紙葉類の傾きを修正する（例えば、特許文献１参照。）。
【特許文献１】特開２００３−９５４８６号。
【発明の開示】
【発明が解決しようとする課題】
【０００７】
ところで、上記した整位対象の紙葉類がきれいな状態であった場合にはスムーズな整列と搬送が期待できるが、紙葉類が流通した後のものであった場合には、図７に示すように紙葉類Ｐの端部に角折れＰａや、切れめくれ等を有るものが殆どである。
【０００８】
しかしながら、従来においては、紙葉類Ｐの端部を両端搬送ガイドベルト部１０１の外側緑部から食み出た状態でガイドしていため、紙葉類Ｐの端部に例えば、角折れＰａがあると、紙葉類Ｐの整位動作時に紙葉類Ｐが矢印方向に移動された場合に、角折れＰａが両端搬送ガイドベルト部１０１の外側緑部に引っ掛かって押圧し、両端搬送ガイドベルト部１０１をその駆動ローラ（図示しない）から外してしまうという問題があった。
【０００９】
本発明は上記事情に着目してなされたもので、その目的とするところは、角折れや切れめくれ等がある紙葉類であっても、紙葉類の整位動作時に角折れや切れめくれ等を両端搬送ガイドベルト部の側緑部に押し付けることのないようにした紙葉類処理装置を提供することにある。
【課題を解決するための手段】
【００１０】
上記課題を解決するため、請求項１記載のものは、紙葉類の略中央部を挟持搬送する中央搬送ベルト部と、この中央搬送ベルト部によって搬送される紙葉類の搬送方向と直交する方向の両端部を挟持搬送する一対の両端搬送ベルト部と、前記中央搬送ベルト部によって搬送される紙葉類の位置及び角度を整位する整位手段とを具備し、前記両端搬送ベルト部は各々のベルトの外側緑部と内側緑部との間に前記紙葉類の両端部を位置させる幅寸法を有する。
【発明の効果】
【００１１】
本発明は、紙葉類の端部に角折れ、切れめくれ等があっても、紙葉類の整位動作時に、紙葉類の角折れ、切れめくれ等を両端搬送ガイドベルト部の外側緑部或いは内側緑部に押し付けることがなく、両端ガイドベルトの外れを確実に防止することができる。
【発明を実施するための最良の形態】
【００１２】
以下、本発明を図面に示す実施の形態を参照して詳細に説明する。
【００１３】
図１は紙葉類処理装置を示す概略的構成図である。
【００１４】
紙葉類処理装置は操作部１を備えている。この操作部１は本装置における業務内容の指示、業務にて取り扱う取引内容の指示、および取引内容の入手を行う。また、紙葉類処理装置は、各種サイズの紙葉類をセットする供給部２及びこの供給部２にセットされた紙葉類をその短手方向に一枚づつ取込む取込部５を備えている。この取込部５によって取込まれた紙葉類は搬送機構３によって搬送路４に沿って搬送される。
【００１５】
搬送路４中には、紙葉類の搬送方向に沿って整位手段としての整位ユニット６、鑑査ユニット７、第１の区分ゲート８、表裏取揃部９、第２の区分ゲート１０、及び複数の集積部１１が配設されている。
【００１６】
第１の区分ゲート８によって分岐される方向にはリジェクト集積部１３が設けられ、第２の区分ゲート１０によって分岐される方向には施封集積部１４及び施封機構１５が配設されている。
【００１７】
次に、紙葉類の処理動作について説明する。
【００１８】
操作員は画面情報を基に装置を操り、紙葉処理業務を行う。まず、操作部１にて業務内容を指令し、供給部２に紙葉類をセットする。このセット後、操作部１にて業務開始指令を行う。これにより、セットされた紙葉類は取込部５によって短手方向に沿って取り込まれ、１枚ずつ搬送機構３へ供給される。搬送機構３は、対向する搬送ベルト対（図示しない）で紙葉類を挟持搬送して整位ユニット６に搬送する。整位ユニット６では、後述するように紙葉類を１枚ずつある一定範囲内に揃え、紙葉類情報バラツキを抑えて鑑査ユニット７へ送る。この鑑査ユニット７で紙葉類の情報が読み取られ、この鑑査ユニット７で読み取られた紙葉類の情報と、操作部１からの業務指令情報に基づいて紙葉類の搬送先が決定される。そして、この決定に基づいて第１及び第２の区分ゲート８，１０が動作されて紙葉類が決定搬送先へ導かれる。第１の区分ゲート８の動作により、紙葉類は表裏取揃部９或いはリジェクト集積部１３方向へ案内される。リジェクト集積部１３方向へ案内された紙葉類はリジェクト集積部１３に集積され、表裏取揃部９方向へ案内された紙葉類は、表裏が取り揃えられたのち第２の区分ゲート１０の動作により集積部１１或いは施封用の集積部１４方向へ案内される。集積部１１方向に案内された紙葉類は集積部１１に搬送されて収納集積され、施封用の集積部１４方向へ案内された紙葉類は施封用の集積部１４へ搬送されて集積されたのち、ある一定枚数毎に施封されて排出される。
【００１９】
次に、上記した整位ユニット６について説明する。
【００２０】
図２は整位ユニット６を示す平面図である。
【００２１】
整位ユニット６内には、紙葉類の搬送方向に亘って光学式センサ２１、位置揃えローラ部２２及び角度揃えローラ部２３が配設されている。光学式センサ２１は取込部５から１枚ずつ搬送されてくる紙葉類の位置、及び傾きを検知するものである。
【００２２】
位置揃えローラ部２２は左右のローラ対２２ａ，２２ｂを有し、これら左右のローラ対２２ａ，２２ｂはシャフト２２ｃを介して接続されている。角度揃えローラ部２３は左右のローラ対２３ａ，２３ｂを有し、これら左右のローラ対２３ａ，２３ｂはシャフト２３ｃを介して接続されている。
【００２３】
位置揃えローラ部２２の左右のローラ対２２ａ，２２ｂ及び角度揃えローラ部２３の左右のローラ対２３ａ，２３ｂは回転自在であるとともに、光学式センサ２１の検知情報に基づいて図示しない駆動部によりシャフト２２ｃ，２３ｃの中心を支点として左右に回動されるようになっている。
【００２４】
また、整位ユニット６内には、中央搬送ベルト部２５及び両端搬送ベルト部としての両端搬送ガイドベルト部２６が紙葉類の搬送方向に沿って平行に配設されている。中央搬送ベルト部２５は上下一対のベルト２５ａ，２５ｂを有し、これら上下一対のベルト２５ａ，２５ｂにより紙葉類の中央部を強く挟持して搬送する。このベルト２５ａ，２５ｂは所定間隔を存して配設されるローラ２８間に掛け渡されている。
【００２５】
両端搬送ガイドベルト部２６は上下一対のベルト２６ａ，２６ｂを有し、これら上下一対のベルト２６ａ，２６ｂにより紙葉類の長手方向の両端部をスライド方向及び回転方向の動きを束縛しないように、即ち、紙葉類の搬送時におけるバタツキを抑える程度に緩く保持している。このベルト２６ａ，２６ｂは所定間隔を存して配設されるローラ２９間に掛け渡されている。
【００２６】
中央搬送ベルト部２５と両端搬送ガイドベルト部２６との間には所定寸法の間隔が形成され、位置揃えローラ部２２と角度揃えローラ２３は中央搬送ベルト部２５と両端搬送ガイドベルト部２６との間に配置され、回動してその向きを変更したとき、中央搬送ベルト部２５と両端搬送ガイドベルト部２６に接触しないようになっている。
【００２７】
図３は位置揃えローラ部２２による紙葉類Ｐの整位幅を示すものである。
【００２８】
位置揃えローラ部２２は、両端搬送ガイドベルト部２６の上下一対のベルト２６ａ，２６ｂの外側緑部２６ｃと内側緑部２６ｄとの間の範囲Ｈ内で紙葉類Ｐを整位するようになっている。
【００２９】
図４は両端搬送ガイドベルト部２６の上下一対のベルト２６ａ，２６ｂの幅寸法Ｓを示すものである。
【００３０】
幅寸法Ｓは紙葉類の両端面が両端搬送ガイドベルト部２６の上下一対のベルト２６ａ，２６ｂの外側緑部２６ｃと内側緑部２６ｄとの間に位置する寸法となっている。
【００３１】
即ち、最大サイズの紙葉類Ｐ１の両端面がベルト２６ａ，２６ｂの外側緑部２６ｃから食み出すことなく、また、最小サイズの紙葉類Ｐ２の両端面がベルト２６ａ，２６ｂの内側緑部２６ｄから内側に外れない寸法に広げられている。
【００３２】
次に、紙葉類の整位動作を図５に基づいて説明する。
【００３３】
取込部５から取出された紙葉類は光学式センサ２１によってその位置、及び傾きが光学的に検知される。この検知後、紙葉類はその中央部が中央搬送ベルト部２５により挟持搬送され、両端部が両端搬送ガイドベルト部２６により搬送方向にガイドされる。
【００３４】
光学式センサ２１によって紙葉類の位置が中央部からずれていると検知された場合には、位置揃えローラ部２２が例えば、矢印方向に回動して紙葉類Ｐを左方向に偏位させて中央部に位置するように揃える。また、光学式センサ２１によって紙葉類Ｐが傾いていると検知された場合には、角度揃えローラ部２３を矢印方向に回動して紙葉類Ｐを左方向に傾かせて傾きを修正する。
【００３５】
上記したように、この実施の形態によれば、両端搬送ガイドベルト部２６の幅寸法Ｓを、紙葉類が最大サイズの場合には、その長手方向の両端面が両端搬送ガイドベルト部２６の外側緑部２６ｃから食み出さず、また、紙葉類が最小サイズの場合には、その両端面が両端搬送ガイドベルト部２６の内側緑部２６ｄから外れないようにするため、紙葉類の長手方向の端部に例えば、図６に示すように、折れＰａや、切込み等が有っても、整位動作時に、紙葉類Ｐの折れＰａや、切込みが両端搬送ガイドベルト部２６の外側緑部２６ｃ、或いは内側緑部２６ｄに引っ掛かかって押圧することがなく、両端搬送ガイドベルト部２６がローラ２９から外れることを防止することができる。
【００３６】
なお、本発明は上記実施の形態に限られることはなく、その要旨の範囲内で種々変形実施可能なことは勿論である。
【図面の簡単な説明】
【００３７】
【図１】本発明の一実施の形態である紙葉類処理装置を示す概略的構成図。
【図２】同紙葉類処理装置に設けられる整位ユニットを示す平面図。
【図３】同整位ユニットにおける紙葉類の整位幅を示す平面図。
【図４】同整位ユニットにおける両端搬送ガイドベルト部の幅寸法を示す平面図。
【図５】同整位ユニットの紙葉類の整位動作を示す平面図。
【図６】同整位ユニットの両端搬送ガイドベルト部の幅寸法内で紙葉類が整位される状態を示す図。
【図７】従来における紙葉類の整位動作を示す図。
【符号の説明】
【００３８】
Ｐ，Ｐ１，Ｐ２…紙葉類、６…整位ユニット（整位手段）、２２…位置揃えローラ、２３…角度揃えローラ、２５…中央搬送ベルト部、２６…両端搬送ガイドベルト部。
【図１】
2005082365.tif 000003
【図２】
2005082365.tif 000004
【図３】
2005082365.tif 000005
【図４】
2005082365.tif 000006
【図５】
2005082365.tif 000007
【図６】
2005082365.tif 000008
【図７】
2005082365.tif 000009